(57)【特許請求の範囲】
【請求項１】
無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を無線移動端末に通知する移動通信システムの無線基地局装置において、
前記制御情報群を前記無線移動端末に対して、個別に通知する通知手段と、
前記無線移動端末より、前記制御情報を保持していないことを示す不保持メッセージを受信すると、前記不保持メッセージに含まれる前記インデックスに対応する前記制御情報を、保持している前記制御情報群より取得し、取得した前記制御情報と前記インデックスをメッセージにて前記無線移動端末に通知する手段と、
を備えることを特徴とする無線基地局装置。
【請求項２】
前記通知手段は、前記制御情報群を通知、若しくは更新する必要があると判断した場合に、前記制御情報群を前記無線移動端末に対して、個別に通知することを特徴とする請求項１に記載の無線基地局装置。
【請求項３】
前記無線移動端末が位置登録実施済みでないことを認識した場合に、前記制御情報群を通知する必要があると判断する、
ことを特徴とする請求項１乃至２のいずれかに記載の無線基地局装置。
【請求項４】
前記無線移動端末より、前記無線移動端末が保持する前記制御情報群の更新履歴であるタイムスタンプ情報を受信すると、前記タイムスタンプ情報から前記無線移動端末が現在、保持する制御情報群を認識し、自身が保持する最新の前記制御情報群と異なっていれば、前記制御情報群を更新する必要があると判断し、少なくとも異なる前記制御情報、異なる前記制御情報に対応する前記インデックス及び、最新の前記制御情報群に対応する前記インデックスを前記無線移動端末に個別に通知する手段と、
を備えることを特徴とする請求項１乃至３のいずれかに記載の無線基地局装置。
【請求項５】
呼処理を行う為の少なくとも１つの制御情報と前記制御情報に対応するインデックスとを含む制御情報群を前記無線基地局装置から受信する移動通信システムの無線移動端末において、
前記無線基地局装置から前記制御情報群を個別に受信し、記憶媒体に記憶する手段と、
前記無線基地局装置から前記インデックスを受信したとき、受信した前記インデックスに対応する前記制御情報を前記制御情報群から取得できない場合には、前記制御情報を保持していないことを示す不保持メッセージを、前記インデックスを含めて、前記無線基地局装置に通知する手段と、
前記無線基地局装置から前記不保持メッセージに対する応答メッセージを受信すると、前記応答メッセージに含まれる前記制御情報と前記インデックスを前記記憶媒体に記憶する手段と、
を備えることを特徴とする無線移動端末。
【請求項６】
保持する前記制御情報群の更新履歴であるタイムスタンプ情報を無線基地局装置に通知する手段と、
前記無線基地局装置から、少なくとも１つの前記制御情報、前記制御情報に対応する前記インデックス及び、前記制御情報群に対応する前記インデックスを個別に受信し、前記記憶媒体に記憶する手段と、
を備えることを特徴とする請求項５に記載の無線移動端末。
【請求項７】
無線移動端末と無線基地局装置が無線回線で接続された移動通信システムであって、前記無線基地局装置は、請求項１乃至４のいずれかに記載の無線基地局装置であり、前記無線移動端末は、請求項５乃至６のいずれかに記載の無線移動端末である、
ことを特徴とする移動通信システム。
【請求項８】
前記移動通信システムは、前記無線移動端末が前記制御情報群を保持するサーバに接続される移動通信システムであって、
前記無線移動端末は、保持した前記制御情報群の更新履歴であるタイムスタンプ情報を前記サーバに通知する手段と、
前記サーバから、少なくとも１つの前記制御情報、前記制御情報に対応する前記インデックス及び、前記制御情報群に対応する前記インデックスを受信し、記憶媒体に記憶する手段と、を備え、
前記サーバは、前記無線移動端末より、前記タイムスタンプ情報を受信すると、前記タイムスタンプ情報から前記無線移動端末が現在、保持する前記制御情報群を認識し、自身が保持する最新の前記制御情報群と異なっていれば、少なくとも異なる前記制御情報、異なる前記制御情報に対応する前記インデックス及び、最新の前記制御情報群に対応する前記インデックスを前記無線移動端末に通知する手段と、
を備えることを特徴とする請求項７に記載の移動通信システム。
【請求項９】
無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を前記無線移動端末に通知する方法であって、
前記無線移動端末が位置登録実施済みでないことを認識した場合に、前記制御情報群を前記無線移動端末に対して、個別に通知し、
前記無線移動端末より、前記制御情報を保持していないことを示す不保持メッセージを受信すると、前記不保持メッセージに含まれる前記インデックスに対応する前記制御情報を、保持している前記制御情報群より取得し、取得した前記制御情報と前記インデックスをメッセージにて前記無線移動端末に通知する、
制御情報通知方法。
【請求項１０】
呼制御を行う為の少なくとも１つの制御情報と前記制御情報に対応するインデックスとを含む制御情報群を前記無線基地局装置から受信する方法であって、
前記無線基地局装置から前記制御情報群を個別に受信し、記憶媒体に記憶し、
前記無線基地局装置から前記インデックスを受信したとき、受信した前記インデックスに対応する前記制御情報を前記制御情報群から取得できない場合には、前記制御情報を保持していないことを示す不保持メッセージを、前記インデックスを含めて、前記無線基地局装置に通知し、
前記無線基地局装置から前記不保持メッセージに対する応答メッセージを受信すると、前記応答メッセージに含まれる前記制御情報と前記インデックスを前記記憶媒体に記憶する、
制御情報受信方法。
【発明の詳細な説明】
【技術分野】
【０００１】
本発明は、無線移動端末、無線基地局装置、移動通信システム、制御情報通知方法、及び制御情報受信方法に関し、特に、ＬＴＥ（Long Term Evolution）に対応した無線移動端末、無線基地局装置、移動通信システム、制御情報通知方法、及び制御情報受信方法に関する。
【背景技術】
【０００２】
ＬＴＥ（Long Term Evolution）に対応する一般的な移動通信システムは、図１１に示す通り、少なくとも無線移動端末、無線基地局装置及び、ＭＭＥ（Mobility Management Entity）から構成される。ＭＭＥと無線基地局装置は、有線回線を介して接続される。無線基地局装置と無線移動端末は、無線回線を介して接続される。【０００３】
上述のＬＴＥに対応する移動通信システムは、通信回線を確立する為の制御（以下、「呼制御」という）や保守監視等を行うために、無線移動端末、無線基地局装置及び、ＭＭＥ間(以下、「装置間」という)で、制御情報を含めたメッセージを送受信する。【０００４】
例えば、非特許文献１には、「S1 Setup Response」や「MME Configuration Update」、「INITIAL CONTEXT SETUP REQUEST」や「Bearer Setup Request」が定義されている。「S1 Setup Response」や「MME Configuration Update」は、呼制御を行うに先立ち、ＭＭＥが、無線基地局装置に初期設定の為の制御情報を通知するメッセージである。「INITIAL CONTEXT SETUP REQUEST」や「Bearer Setup Request」は、ＭＭＥが、無線基地局装置に呼制御の為の制御情報を通知するメッセージである。【０００５】
さらに、非特許文献２には、「RRC Connection Request」、「RRC Connection Setup」、「RRC Connection Setup Complete」及び、「RRC Connection Reconfiguration」が定義されている。「RRC Connection Request」、「RRC Connection Setup」、及び「RRC Connection Setup Complete」は、無線移動端末がＭＭＥに対して位置登録を行えるよう、無線移動端末と無線基地局装置との間に、制御用の無線回線（RRC Connection）を開設するためのメッセージである。無線移動端末は、「RRC Connection Request」を無線基地局装置に通知すると、無線基地局装置は「RRC Connection Setup」を無線移動端末に通知し、その後、応答として無線移動端末は「RRC Connection Setup Complete」を返す。「RRC Connection Reconfiguration」は、無線基地局装置が無線移動端末に、無線移動端末が呼制御を行う為の制御情報を通知するメッセージである。【０００６】
しかし、ＬＴＥに対応する一般的な移動通信システムでは、呼制御時、制御情報の数が多い為、呼制御を行う度にサイズの大きなメッセージが無線基地局装置と無線移動端末間で送受信され、そのメッセージサイズ分、無線帯域を使用してしまう。すなわち、ＬＴＥに対応する一般的な移動通信システムは、制御回線用に無線帯域を多く使用してしまう。【０００７】
その結果、ＬＴＥに対応する一般的な移動通信システムは、データの送受信用に使用する無線帯域（以下、データ回線用の無線帯域という）を増加させることができないという課題があった。【０００８】
上記の課題を解決する技術として、非特許文献３において、Default configuration modeやPredefined configuration(以下、事前設定技術と総称する)が規定されている。事前設定技術は、呼制御前に、制御情報と制御情報に対応するインデックスとを無線移動端末に予め保持させておき、無線基地局装置が、呼制御時、無線移動端末に制御情報を通知する代わりに制御情報に対応するインデックスを通知する技術である。事前設定技術を採用する移動通信システムは、呼制御の際、無線基地局装置と無線移動端末間のメッセージを、サイズの小さなメッセージにすることができる為、制御回線用に無線帯域を使用することを抑え、データ回線用の無線帯域を増加させることができる。
【先行技術文献】
【非特許文献】
【０００９】
【非特許文献１】3GPP TS 36.413 V10.2.0 (2011-06)  Technical Specification Group Radio Access Network; Evolved Universal Terrestrial Radio Access Network (E-UTRAN); S1 Application Protocol (S1AP)(Release 10)
【非特許文献２】3GPP TS 36.331 V10.2.0 (2011-06)  Technical Specification Group Radio Access Network; Evolved Universal Terrestrial Radio Access (E-UTRA); Radio Resource Control (RRC); Protocol specification(Release 10)
【非特許文献３】3GPP TS 25.331 V10.4.0 (2011-06)  Technical Specification3rd Generation Partnership Project; Technical Specification Group Radio Access Network; Radio Resource Control (RRC); Protocol specification
【発明の開示】
【発明が解決しようとする課題】
【００１０】
しかしながら、事前設定技術を採用する移動通信システムでは、無線基地局装置が制御情報と制御情報に対応するインデックスをセル単位に報知する為、無線移動端末は、セルが切り替わる毎に制御情報とインデックスを取得しなければならない課題があった。【００１１】
上述の課題により、例えば、無線移動端末は、隣接するセル間を繰り返し往復すると、1度取得していたとしても、セルを跨ぐ毎に制御情報とインデックスを取得してしまう。【００１２】
本発明は、上記課題を解決する無線移動端末、無線基地局装置、移動通信システム、制御情報通知方法、及び制御情報受信方法を提供することを目的とする。
【課題を解決するための手段】
【００１３】
上記目的を達成するために、本発明の無線基地局装置は、無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を無線移動端末に通知する移動通信システムの無線基地局装置であって、前記制御情報群を前記無線移動端末に対して、直接通知する通知手段を備える。【００１４】
また、上記目的を達成するために、本発明の無線移動端末は、呼処理を行う為の少なくとも１つの制御情報と前記制御情報に対応するインデックスとを含む制御情報群を前記無線基地局装置から受信する移動通信システムの無線移動端末であって、前記無線基地局装置から前記制御情報群を直接受信し、記憶媒体に記憶する手段を備える。【００１５】
さらに、上記目的を達成するために、本発明の移動通信システムは、無線移動端末と無線基地局装置が無線回線で接続された移動通信システムであって、前記無線基地局装置は、無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を無線移動端末に通知する移動通信システムの無線基地局装置であって、前記制御情報群を前記無線移動端末に対して、直接通知する通知手段を備え、前記無線移動端末は、呼処理を行う為の少なくとも１つの制御情報と前記制御情報に対応するインデックスとを含む制御情報群を前記無線基地局装置から受信する移動通信システムの無線移動端末であって、前記無線基地局装置から前記制御情報群を直接受信し、記憶媒体に記憶する手段を備える。【００１６】
上記目的を達成するために、本発明の制御情報通知方法は、無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を前記無線移動端末に通知する方法であって、前記無線移動端末が位置登録完了前と判断した場合に、前記制御情報群を前記無線移動端末に対して、直接通知する、制御情報通知方法である。【００１７】
上記目的を達成するために、本発明の制御情報受信方法は、呼制御を行う為の少なくとも１つの制御情報と前記制御情報に対応するインデックスとを含む制御情報群を前記無線基地局装置から受信する方法であって、前記無線基地局装置から前記制御情報群を直接受信し、記憶媒体に記憶する、制御情報受信方法である。
【発明の効果】
【００１８】
本発明によれば、事前設定技術を採用する移動通信システムは、セルが切り替わる毎に無線移動端末において実施される、制御情報とインデックスの取得を不要にすることができる。
【図面の簡単な説明】
【００１９】
【図１】本発明の第１の実施の形態における移動通信システムの構成例を示すブロック図である。
【図２】本発明の第１の実施の形態における移動通信システムの動作を示すシーケンス図である。
【図３】本発明の第１の実施の形態における制御情報群の一例である。
【図４】本発明の第１の実施の形態における端末用制御情報群の一例である。
【図５】本発明の第２の実施の形態における移動通信システムの動作を示すシーケンス図である。
【図６】本発明の第２の実施の形態におけるタイムスタンプ情報の一例である。
【図７】本発明の第３の実施の形態における移動通信システムの動作を示すシーケンス図である。
【図８】本発明の第４の実施の形態における移動通信システムの構成例を示すブロック図である。
【図９】本発明の第４の実施の形態における移動通信システムの動作を示すシーケンス図である。
【図１０】本発明の第５の実施の形態における移動通信システムの構成例を示すブロック図である。
【図１１】ＬＴＥに対応する一般的な移動通信システムの構成例を示すブロック図である。
【発明を実施するための形態】
【００２０】
次に本発明の実施形態について、図面を参照して詳細に説明する。
【００２１】
［第１の実施の形態］
［構成の説明］
図１は、本発明の第１の実施の形態における移動通信システムの構成例を示すブロック図である。
【００２２】
図１に示されるように、第１の実施の形態における移動通信システムは、無線基地局装置１００、ＭＭＥ２００、無線移動端末３００、及びサーバ４００から構成される。
【００２３】
無線基地局装置１００とＭＭＥ２００は、有線回線を介して接続され、また、無線基地局装置１００と無線移動端末３００は、無線回線を介して接続される。さらに、サーバ４００は、有線回線を介して、無線基地局装置１００とＭＭＥ２００に接続される。
【００２４】
まず、ＭＭＥ２００の機能について説明する。
【００２５】
ＭＭＥ２００は、無線基地局装置１００が呼制御を行う為の少なくとも１つの制御情報と制御情報に対応するインデックス（以下、グループＩＤという）とを含む制御情報群をサーバ４００から受信し、記憶する。ＭＭＥ２００は、制御情報群を無線基地局装置１００に通知する。また、ＭＭＥ２００は、端末との通信回線を確立する場合、制御情報に代えて、制御情報に対応するグループＩＤを無線基地局装置１００へ通知する。さらに、ＭＭＥ２００は、無線基地局装置１００から無線移動端末３００が位置登録（以下、ＡＴＴＡＣＨという)実施済みかどうかの情報を受信する。さらに、ＭＭＥ２００は、無線移動端末３００から受信した、ＡＴＴＡＣＨ実施済みかどうかの情報を無線基地局装置１００に通知する。
【００２６】
次に、無線基地局装置１００の機能について説明する。
【００２７】
無線基地局装置１００は、ＭＭＥ２００から通知された制御情報群を記憶する。また、無線基地局装置１００は、ＭＭＥ２００からグループＩＤを受信した場合、グループＩＤに対応する制御情報を制御情報群から取得して、公知の呼制御を行う。無線基地局装置１００は、サーバ４００から無線移動端末３００が呼制御を行う為の少なくとも１つの制御情報（以下、端末用制御情報という）と端末用制御情報に対応するインデックス（以下、端末用グループＩＤという）とを含む端末用制御情報群を受信する。無線基地局装置１００は、端末用制御情報群を記憶する。無線基地局装置１００は、ＡＴＴＡＣＨ実施済みかどうかの情報を無線移動端末３００から受信すると、ＭＭＥ２００へ送信し、無線移動端末３００に端末用制御情報群を通知するかどうかを判断する。無線基地局装置１００は、無線移動端末３００に端末用制御情報群を通知する必要があると判断した場合に、端末用制御情報群を無線移動端末３００に対して、直接通知する。また、無線基地局装置１００は、端末用制御情報に代えて、端末用制御情報に対応する端末用グループＩＤを無線移動端末３００へ通知する。
【００２８】
次に、無線移動端末３００の機能について説明する。
【００２９】
無線移動端末３００は、ＡＴＴＡＣＨ実施済みかどうかの情報を無線基地局装置１００に通知する。また、無線移動端末３００は、無線基地局装置１００から端末用制御情報群を直接受信し、記憶媒体に記憶する。無線移動端末３００は、無線基地局装置１００から端末用グループＩＤを受信した場合、記憶している端末用制御情報群から端末用グループＩＤに対応する端末用制御情報を取得して、公知の呼制御を行う。
【００３０】
次に、サーバ４００の機能について説明する。
【００３１】
サーバ４００は、キーボード、マウス等、本実施の形態のユーザとのインターフェースを有し、本実施の形態のユーザにより入力されたデータである制御情報群や端末用制御情報群を磁気ディスク等の記憶媒体に記憶し、保持する。サーバ４００は、本実施形態の移動通信システムのユーザによって、制御情報群が入力されると、制御情報群をＭＭＥ２００に通知する。また、サーバ４００は、本実施形態の移動通信システムのユーザによって、端末用制御情報群が入力されると、端末用制御情報群を無線基地局装置１００に通知する。サーバ４００の機能は、例えば、ＳＯＮ（Self Organizing Network）サーバや保守監視装置を構成するサーバで実現してもかまわない。
【００３２】
［動作の説明］
図２は、本発明の第１の実施の形態における移動通信システムの動作を示すシーケンス図である。図３は、本発明の第１の実施の形態における制御情報群の一例である。図４は、本発明の第１の実施の形態における端末用制御情報群の一例である。
【００３３】
まず、図２の通り、サーバ４００は、本実施形態の移動通信システムのユーザによって、制御情報群が入力されると、制御情報群をＭＭＥ２００に通知する（Ｓ１０）。
【００３４】
また、サーバ４００は、本実施形態の移動通信システムのユーザによって、端末用制御情報群が入力されると、端末用制御情報群を無線基地局装置１００に通知する（Ｓ１１）。
【００３５】
ＭＭＥ２００は、サーバ４００から通知された制御情報群を記憶媒体に記憶する。（Ｓ１２）。
【００３６】
図３は、第１の実施の形態における制御情報群の一例である。図３に示すように、制御情報群は、少なくとも１つの制御情報と制御情報に対応するグループＩＤから構成される。制御情報は、無線基地局装置１００が呼制御を行う為の各種パラメータ値の組み合わせである。図３では、UE Aggregate Max Bit Rate=100kbps,1Mbps,50kbps、E-RAB Level QoS Parameters=A、B、C等の各種パラメータ値の組み合わせに対し、グループＩＤを付与している。
【００３７】
無線基地局装置１００は、サーバ４００から通知された端末用制御情報群を記憶媒体に記憶する。（Ｓ１３）。
【００３８】
記憶媒体は、例えば、ＲＯＭ（Read Only Memory）、ＲＡＭ（Random Access Memory）、ハードディスク等の磁気ディスク等である。
【００３９】
次に、ＭＭＥ２００は、呼制御を行うに先立ち、制御情報群を無線基地局装置１００に通知する（Ｓ１４）。
【００４０】
具体的には、ＭＭＥ２００は、既存のメッセージである「S1 Setup Response」や「MME Configuration Update」に制御情報群を含めて無線基地局装置１００に通知する。また、本実施の形態のユーザは、制御情報群通知用の新規メッセージ（以下、「Preassignment Request」という）を設け、ＭＭＥ２００は、新規メッセージ「Preassignment Request」に制御情報群を含めて無線基地局装置１００に通知してもよい。
【００４１】
次に、無線基地局装置１００は、ＭＭＥ２００から通知された制御情報群を記憶媒体に記憶する（Ｓ１５）。
【００４２】
記憶媒体は、ＲＡＭでもよいし、ハードディスク等の磁気ディスクであってもよい。
【００４３】
次に、ＭＭＥ２００が無線移動端末３００と通信回線を確立させることを公知の技術によって決定し、無線移動端末３００がＡＴＴＡＣＨを行う場合、無線基地局装置１００、ＭＭＥ２００、無線移動端末３００は以下の動作を行う。
【００４４】
まず、無線移動端末３００は、「RRC Connection Setup Complete」（以下、呼設定メッセージという）に、ＮＡＳ  Ｍｅｓｓａｇｅ（Non-Access-Stratum Message）を含めて、無線基地局装置１００に通知する（Ｓ２０）。ＮＡＳ  Ｍｅｓｓａｇｅは、無線移動端末３００がＡＴＡＴＣＨ実施済みかどうかを示す識別子を含んだメッセージである。上述のＳ２０では、無線移動端末３００は、ＡＴＡＴＣＨ実施済みでないことを示すＮＡＳ  Ｍｅｓｓａｇｅを呼設定メッセージに含めて、無線基地局装置１００に通知する。
【００４５】
次に、無線基地局装置１００は、呼設定メッセージに対応するＳ１ＡＰ（S1 Application Protocol）メッセージをＭＭＥ２００に通知する（Ｓ２１）。Ｓ１ＡＰメッセージには、無線移動端末３００からのＮＡＳ  Ｍｅｓｓａｇｅが含まれる。
【００４６】
次に、ＭＭＥ２００は、呼設定メッセージに対応するＳ１ＡＰメッセージを受信すると、ＮＡＳ  Ｍｅｓｓａｇｅから無線移動端末３００がＡＴＴＡＣＨ実施済みでないことを認識する。
【００４７】
さらに、ＭＭＥ２００は、ＡＴＴＡＣＨ実施済みでないことを示すＮＡＳ  Ｍｅｓｓａｇｅ種別を通信回線確立用メッセージ、例えば「INITIAL CONTEXT SETUP REQUEST」に含めて無線基地局装置１００に通知する（Ｓ１００）。ここで、ＮＡＳ  Ｍｅｓｓａｇｅ種別は、無線移動端末３００がＡＴＴＡＣＨ実施済みかどうかを示す識別子である。ＭＭＥ２００は、ＮＡＳ  Ｍｅｓｓａｇｅの内容をＮＡＳ  Ｍｅｓｓａｇｅ種別に反映する。
【００４８】
次に、ＭＭＥ２００、無線基地局装置１００、及び無線移動端末３００は、認証や秘匿（以下、Security Activation等という）といったＡＴＴＡＣＨ時の公知の制御を行う（Ｓ１０１）。
【００４９】
そして、無線基地局装置１００は、ＭＭＥ２００から通信回線確立用メッセージを受信すると、そのメッセージに含まれるＮＡＳ  Ｍｅｓｓａｇｅ種別から無線移動端末３００へ端末用制御情報群を通知するかどうかを判断する（Ｓ１０２）。
【００５０】
すなわち、無線基地局装置１００は、ＮＡＳ  Ｍｅｓｓａｇｅ種別がＡＴＴＡＣＨ実施済みでないことを示す場合には、無線移動端末３００が端末用制御情報群を保持しておらず、端末用制御情報群を通知する必要があると判断する。無線基地局装置１００は、ＮＡＳ  Ｍｅｓｓａｇｅ種別がＡＴＴＡＣＨ実施済みであることを示す場合には、無線移動端末３００が端末用制御情報群を保持しており、端末用制御情報群を通知する必要がないと判断する。
【００５１】
上述のＳ１００において、ＭＭＥ２００がＡＴＴＡＣＨ実施済みでないＮＡＳ  Ｍｅｓｓａｇｅ種別を通知している為、ここでは、無線基地局装置１００は、端末用制御情報群を通知する必要があると判断する。
【００５２】
次に、端末用制御情報群を通知する必要があると判断した、無線基地局装置１００は、端末用制御情報群を、通信回線確立用メッセージで、無線移動端末３００に直接通知する（Ｓ１０３）。通信回線確立用メッセージは、ＡＴＴＡＣＨ時の無線基地局装置１００から無線移動端末３００宛ての公知のメッセージであってもよいし、本実施のユーザが設けた新規のメッセージであってもよい。
【００５３】
次に、無線移動端末３００は、無線基地局装置１００から端末用制御情報群を直接受信すると、端末用制御情報群を記憶媒体に記憶し、保持する（Ｓ１０４）。
【００５４】
ここで、記憶媒体は、無線移動端末３００から着脱可能な記憶媒体、例えば、ＵＳＩＭ（Universal Subscriber Identity Module）カードであってもよい。無線移動端末３００は、ＵＳＩＭカード毎、つまり、契約回線毎に端末用制御情報群を記憶することができ、他の端末でも端末用制御情報群を利用できる。
【００５５】
図４は、第１の実施の形態における無線基地局装置１００が無線移動端末３００に通知する端末用制御情報群の一例である。図４に示すように、端末用制御情報群は、少なくとも１つの端末用制御情報と端末用制御情報に対応する端末用グループＩＤから構成される。端末用制御情報は、無線移動端末３００が呼制御を行う為の各種パラメータ値の組み合わせである。図４では、非特許文献３に記載のrlc-Configやlogical Channel Config等の各種パラメータ値の組み合わせに対し、端末用グループＩＤを付与している。なお、無線基地局装置１００は、サーバ４００から通知された端末用制御情報群を保持するが、本実施の形態のユーザによって記憶媒体に書き込まれた端末用制御情報群を保持してもよい。
【００５６】
次に、無線基地局装置１００、ＭＭＥ２００、無線移動端末３００は、上述のＡＴＴＡＣＨ実施後、呼制御を行う際には、以下のグループＩＤを用いた呼制御動作を行う。
【００５７】
まず、ＭＭＥ２００は、無線基地局装置１００に対し、呼制御時の通信回線確立用メッセージ、例えば「Bearer Setup Request」を送信する際、ＡＴＴＡＣＨ実施済みを示すＮＡＳ  Ｍｅｓｓａｇｅ種別を通信回線確立用メッセージに含めて無線基地局装置１００に通知する。なお、無線基地局装置１００と無線移動端末３００は、上述のＳ２０、２１のように、呼制御時の公知のメッセージに、ＡＴＴＡＣＨ実施済みを示すＮＡＳ  Ｍｅｓｓａｇｅを含めてＭＭＥ２００に通知してもよい。次に、ＭＭＥ２００は、無線移動端末３００がＡＴＴＡＣＨ実施済みであることを認識し、ＡＴＴＡＣＨ実施済みを示すＮＡＳ  Ｍｅｓｓａｇｅ種別を無線基地局装置１００に通知する。また、ＭＭＥ２００は、制御情報に代えて、制御情報に対応するグループＩＤも通知する。無線基地局装置１００が呼制御できるようにする為である。
【００５８】
次に、無線基地局装置１００は、上述のＳ１０２の判定を行い、無線移動端末３００へ端末用制御情報群を通知するかどうかを判断する。無線基地局装置１００は、ＮＡＳ  Ｍｅｓｓａｇｅ種別がＡＴＴＡＣＨ実施済みを示すので、無線移動端末３００に端末用制御情報群を通知する必要がないと判断する。
【００５９】
無線基地局装置１００は、端末用制御情報群を通知する必要がないと判断した場合、端末用制御情報に代えて、端末用制御情報に対応する端末用グループＩＤを、通信回線確立用メッセージに含めて無線移動端末３００へ通知する（Ｓ１０５）。Ｓ１０５の通信回線確立用メッセージは、例えば、「RRC Connection Reconfiguration」であってもよいし、本実施のユーザが設けた新規のメッセージであってもよい。
【００６０】
次に、無線移動端末３００は、無線基地局装置１００から端末用制御情報に対応する端末用グループＩＤを受信した場合、端末用グループＩＤに対応する端末用制御情報を、記憶する端末用制御情報群から取得して、公知の呼制御を行う。さらに、無線基地局装置１００も、ＭＭＥ２００から制御情報に対応するグループＩＤを受信しているので、グループＩＤに対応する制御情報を記憶する制御情報群から取得して、公知の呼制御を行う（Ｓ１０６）。
【００６１】
なお、サーバ４００は、本実施の形態のユーザによって制御情報群や端末用制御情報群が更新された場合には、その都度、ＭＭＥ２０や無線基地局装置１００に制御情報群や端末用制御情報群を通知してもかまわない。
【００６２】
ＭＭＥ２０や無線基地局装置１００は、サーバ４００の持つ最新の制御情報群を常に保持することができる。
【００６３】
［効果の説明］
本実施の形態の移動通信システムは、セルが切り替わる毎に無線移動端末において実施される制御情報とインデックスの取得を不要にすることができる。
【００６４】
なぜなら、本実施の形態の移動通信システムは、制御情報とインデックスを、セル単位に報知して無線移動端末に通知するのではなく、無線移動端末毎に直接通知するからである。
【００６５】
なお、本実施の形態の移動通信システムは、制御情報に代わり、制御情報に対応するインデックスにてメッセージを装置間で送受信するので、一般的な事前設定技術を採用する移動通信システムと同様、自身にかかる処理負荷を軽減する事ができる。
【００６６】
［第２の実施の形態］
次に、本発明の第２の実施の形態について説明する。
【００６７】
［構成の説明］
本発明の第２の実施の形態における移動通信システムの構成は、第１の実施の形態における移動通信システムと同様である。
【００６８】
［動作の説明］
図５は、本発明の第２の実施の形態における移動通信システムの動作を示すシーケンス図である。第１の実施の形態と同様の動作については図２と同一の符号を付し、詳細を省略する。また、図６は、本発明の第２の実施の形態におけるタイムスタンプ情報の一例である。
【００６９】
図５に示す通り、本発明の第２の実施の形態では、以下の点で第１の実施の形態と異なる。
【００７０】
サーバ４００は、本実施の形態のユーザによって端末用制御情報群が再度入力され、更新された場合、無線基地局装置１００に更新された端末用制御情報群を通知する（Ｓ１１０）。
【００７１】
無線基地局装置１００は、通知された端末用制御情報群を記憶媒体に記憶し、保持する（Ｓ１１１）。
【００７２】
上述のＳ１１０、１１１により、無線基地局装置１００とサーバ４００が保持する端末用制御情報群は同一となり、無線基地局装置１００は、最新の端末用制御情報群を保持する。
【００７３】
次に、無線移動端末３００は、呼設定メッセージに、タイムスタンプ情報を含めて無線基地局装置１００に送信する（Ｓ１１２）。本実施の形態での呼設定メッセージとは、無線移動端末３００から無線基地局装置１００へ呼制御を行う為の公知のメッセージのうち、本実施の形態のユーザによって選択されたメッセージである。
【００７４】
ここで、図６に示すように、タイムスタンプ情報は、無線移動端末３００が保持する端末用制御情報群の更新履歴である。タイムスタンプ情報は、リスト識別番号と更新日時から構成される。リスト識別番号は、端末用制御情報群に対応する識別番号であり、更新日時は、リスト識別番号に対応する端末用制御情報群を無線移動端末３００が記憶し、保持した日時である。更新日時が最新のリスト識別番号は、現在、無線移動端末３００が保持する端末用制御情報群に対応する。
【００７５】
なお、無線移動端末３００は、端末用制御情報群を保持していない場合には、保持する端末用制御情報群がないことを示すリスト識別番号にて、タイムスタンプ情報を無線基地局装置１００に通知する。
【００７６】
次に、無線基地局装置１００は、無線移動端末３００から呼設定メッセージを受信すると、メッセージに含まれるタイムスタンプ情報から無線移動端末３００が現在、保持する端末用制御情報群を認識する（Ｓ１１３）。
【００７７】
次に、無線基地局装置１００は、無線移動端末３００が保持する端末用制御情報群を更新する必要があるかを判断する（Ｓ１１４）。すなわち、無線基地局装置１００は、無線移動端末３００が保持する端末用制御情報群が、自身が保持する最新の端末用制御情報群と異なっていれば、更新する必要があると判断し、異なっていなければ更新する必要なしと判断する。
【００７８】
無線基地局装置１００は、更新する必要があると判断した場合には、少なくとも異なる端末用制御情報と異なる端末用制御情報に対応する端末用グループＩＤを無線移動端末３００に通知する。また、無線基地局装置１００は、自身が保持する最新の端末用制御情報群を示すリスト識別番号も無線移動端末３００に直接通知する（Ｓ１１５）。
【００７９】
具体的には、無線基地局装置１００は、少なくとも異なる端末用制御情報、対応する端末用グループＩＤ及び、最新の端末用制御情報群を示すリスト識別番号(以下、更新情報という)を、呼設定用メッセージで通知する。ここでの呼設定用メッセージは、「RRC Connection Request」の応答「RRC Connection Setup」であってもよい。なお、本実施の形態のユーザは、更新情報通知用の新規メッセージ（以下、「Preassignment Configuration」という）を設け、無線基地局装置１００は、「Preassignment Configuration」に更新情報を含めて、無線移動端末３００に通知してもよい。
【００８０】
次に、無線移動端末３００は、無線基地局装置１００から直接通知された更新情報をＵＳＩＭカード等の記憶媒体に記憶し、保持する（Ｓ１１６）。
【００８１】
上述の動作により、無線移動端末３００は、保持する端末用制御情報群を、サーバ４００の持つ最新の端末用制御情報群に更新できる。
【００８２】
また、無線基地局装置１００は、更新する必要がないと判断した場合には、更新情報を通知しない。無線基地局装置１００は、端末用制御情報に代えて、端末用制御情報に対応する端末用グループＩＤのみを無線移動端末３００へ通知する（Ｓ１１７）。
【００８３】
無線移動端末３００は、端末用グループＩＤに対応する端末用制御情報を、記憶する端末用制御情報群から取得して、公知の呼制御を行い、通信回線を確立させる（Ｓ１１８）。
【００８４】
なお、サーバ４００は、無線基地局装置１００に対し、最新の端末用制御情報の反映を許可する通知（以下、許可通知という）を出力する機能を持ち、無線基地局装置１００は、許可通知を受信した場合に、上述のＳ１１１以降の動作を実施するようにしてもよい。
【００８５】
さらに、サーバ４００は、本実施の形態のユーザから許可通知出力の指示が入力された場合に、許可通知を出力することとしてもよい。
【００８６】
サーバ４００若しくは、本実施の形態のユーザは、無線移動端末３００が最新の端末用制御情報群を更新するタイミングを制御できる。
【００８７】
［効果の説明］
本実施の形態の移動通信システムは、運用を継続しながら、無線移動端末が保持する端末用制御情報群を、サーバが保持する最新の端末用制御情報群に更新することができる。
【００８８】
無線移動端末が保持する端末用制御情報群に対応する識別番号を通知し、無線基地局装置が識別番号から無線移動端末が保持する端末用制御情報群を認識し、最新の端末用制御情報でない場合には、最新の端末用制御情報を無線移動端末に通知する為である。
【００８９】
［第３の実施の形態］
次に、本発明の第３の実施の形態について説明する。
【００９０】
［構成の説明］
本発明の第３の実施の形態における移動通信システムの構成は、第１の実施の形態における移動通信システムと同様である。
【００９１】
［動作の説明］
図７は、本発明の第３の実施の形態における移動通信システムの動作を示すシーケンス図である。第１の実施の形態と同様の動作については図２と同一の符号を付し、詳細を省略する。
【００９２】
図７に示す通り、本発明の第３の実施の形態では、以下の点で第１の実施の形態と異なる。
【００９３】
サーバ４００は、本実施の形態のユーザによって端末用制御情報群が更新された場合に、端末用制御情報群を無線基地局装置１００に通知する（Ｓ１２０）。
【００９４】
無線基地局装置１００は、端末用制御情報群を記憶する（Ｓ１２１）。
【００９５】
上述のＳ１２０とＳ１２１により、無線基地局装置１００とサーバ４００が保持する端末用制御情報群は、同一となり、無線基地局装置１００は、サーバ４００が持つ最新の端末用制御情報群を保持できる。
【００９６】
次に、無線移動端末３００との通信回線を確立する場合、本実施の形態の移動通信システムは、第１の実施の形態と同様、グループＩＤを用いた呼制御動作を実施する。
【００９７】
すなわち、無線移動端末３００と無線基地局装置１００は、端末用グループＩＤに対応する端末用制御情報を端末用制御情報群から取得し、公知の呼制御を行う。
【００９８】
この際、端末用グループＩＤに対応する端末用制御情報を取得できなかった場合には、無線移動端末３００は、公知の呼制御を停止し、取得できなかった端末用制御情報の端末用グループＩＤを無線基地局装置１００に通知する（Ｓ２１２）。
【００９９】
具体的には、無線移動端末３００は、端末用制御情報を保持していない旨を示すメッセージ（以下、不保持メッセージという）に、取得できなかった端末用制御情報の端末用グループＩＤを含めて無線基地局装置１００に通知する。
【０１００】
無線基地局装置１００は、不保持メッセージを無線移動端末３００から受信すると、不保持メッセージに含まれる端末用グループＩＤを取得し、そのＩＤに対応する端末用制御情報を、保持している端末用制御情報群から取得する（Ｓ２１３）。
【０１０１】
無線基地局装置１００は、端末用制御情報を取得すると、取得した端末用制御情報と、その端末用制御情報に対応する端末用グループＩＤを無線移動端末３００にメッセージ（以下、不保持応答メッセージという）にて通知する（Ｓ２１４）。
【０１０２】
無線移動端末３００は、無線基地局装置１００から不保持応答メッセージを受信すると、不保持応答メッセージにて通知された端末用制御情報と端末用グループＩＤをＵＳＩＭカード等の記憶媒体に記憶し、保持する（Ｓ２１５）。
【０１０３】
無線移動端末３００は、不保持応答メッセージに含まれる端末用制御情報を基に公知の呼制御を実施する（Ｓ２１６）。
【０１０４】
［効果の説明］
本実施の形態の移動通信システムは、無線移動端末が保持する端末用制御情報を、運用を継続しながら、また、無線移動端末がＡＴＴＡＣＨも実施することなく、サーバが保持する最新の端末用制御情報に更新することができる。
【０１０５】
無線移動端末は、呼制御中に端末用制御情報を保持していない旨を示すメッセージを無線基地局装置に通知し、無線基地局装置から、保持していない端末用制御情報を入手する為である。
【０１０６】
［第４の実施の形態］
次に、本発明の第４の実施の形態について説明する。
【０１０７】
［構成の説明］
図８は、本発明の第４の実施の形態における移動通信システムの構成例を示すブロック図である。
【０１０８】
図８に示されるように、本発明の第４の実施の形態における移動通信システムは、サーバ４００と無線移動端末３００の代わりに、サーバ８００と無線移動端末７００を新たに備える点が、第１の実施の形態の構成と異なる。
【０１０９】
サーバ８００は、無線ＬＡＮ、インターネット回線、ローカルネットワーク等の有線回線や無線回線を介して、無線移動端末７００と接続されている。
【０１１０】
サーバ８００は、イーサネット（登録商標）等を用いて、直接、無線移動端末７００と接続されていてもよい。
【０１１１】
無線移動端末７００は、ping等、公知の技術にて、ローカルネットワークが有効であるか、また、無線LANを含めたインターネット回線がサーバ８００と接続しているかを確認する。
【０１１２】
また、無線移動端末７００は、保持した端末用制御情報群の更新履歴であるタイムスタンプ情報をサーバ８００に通知する。
【０１１３】
無線移動端末７００は、サーバ８００から、端末用制御情報、端末用制御情報に対応する端末用グループＩＤ及び、端末用制御情報群に対応するリスト識別番号を受信し、ＵＳＩＭカード等の記憶媒体に記憶し、保持する。
【０１１４】
サーバ８００は、無線移動端末７００より、タイムスタンプ情報を受信すると、タイムスタンプ情報に含まれるリスト識別番号から無線移動端末７００が現在、保持する端末用制御情報群を認識する。
【０１１５】
サーバ８００は、無線移動端末７００が現在、保持する端末用制御情報群が、自身が保持する最新の端末用制御情報群と異なっていれば、異なる端末用制御情報、異なる端末用制御情報に対応する端末用グループＩＤを無線移動端末７００に通知する。
【０１１６】
また、サーバ８００は、自身が保持する最新の端末用制御情報群に対応するリスト識別番号も無線移動端末７００に通知する。
【０１１７】
その他の構成要素については、第１の実施の形態と同様である。第１の実施の形態と同様の構成要素については、図１と同一の符号を付し、詳細な説明を省略する。
【０１１８】
［動作の説明］
図９は、本発明の第４の実施の形態における移動通信システムの動作を示すシーケンス図である。
【０１１９】
無線移動端末７００は、ping等、公知の技術にて、ローカルネットワークが有効であるか、また、無線LANを含めたインターネット回線がサーバ８００と接続しているかを確認する（Ｓ３００）。
【０１２０】
無線移動端末７００は、サーバ８００と接続していると判断した場合にタイムスタンプ情報をサーバ８００に通知する（Ｓ３０１）。
【０１２１】
なお、無線移動端末７００とサーバ８００間のタイムスタンプ情報等、情報の送受信は、無線移動端末７００とサーバ８００間の接続形態に応じた公知の技術にて行われる。
【０１２２】
次に、サーバ８００は、無線移動端末７００より、タイムスタンプ情報を受信すると、タイムスタンプ情報に含まれるリスト識別番号から無線移動端末７００が現在、保持する端末用制御情報群を認識する（Ｓ３０２）。
【０１２３】
サーバ８００は、無線移動端末７００が保持する端末用制御情報群が、自身の保持する最新の端末用制御情報群と異なっていれば、異なる端末用制御情報、異なる端末用制御情報に対応する端末用グループＩＤを無線移動端末７００に通知する。また、サーバ８００は、自身が保持する最新の端末用制御情報群を示すリスト識別番号も無線移動端末７００に通知する（Ｓ３０３）。
つまり、サーバ８００は、無線移動端末７００が保持する端末用制御情報群が、自身の保持する最新の端末用制御情報群と異なっていれば、更新情報を無線移動端末７００に通知する。なお、サーバ８００は、更新情報として、異なる端末用制御情報等を通知するのではなく、自身が保持する最新の端末用制御情報群全てと、最新の端末用制御情報群を示すリスト識別番号を無線移動端末３００に通知してもよい。
【０１２４】
次に、無線移動端末７００は、サーバ８００から、更新情報を受信し、ＵＳＩＭカード等の記憶媒体に記憶し、保持する（Ｓ３０４）。
【０１２５】
なお、サーバ８００は、本実施の形態のユーザによって、端末用制御情報群と端末用制御情報群を示すリスト識別番号が入力されると、端末用制御情報群と端末用制御情報群を示すリスト識別番号を無線移動端末７００に通知するようにしてもよい。
【０１２６】
この場合、本実施の形態のユーザが、端末用制御情報群と端末用制御情報群を示すリスト識別番号をサーバ８００に入力すると、サーバ８００は、入力された端末用制御情報群を無線移動端末７００に通知する。
【０１２７】
無線移動端末７００は、サーバ８００から端末用制御情報群と端末用制御情報群を示すリスト識別番号を受信し、ＵＳＩＭカード等の記憶媒体に記憶し、保持することとなる。
【０１２８】
この動作により、例えば、通信オペレーターは、一般ユーザとの回線契約を結んだ場合、携帯ショップ等に設置してあるサーバから回線契約に応じた端末用制御情報群を直接、無線移動端末にダウンロードすることが可能となる。
【０１２９】
さらに、上述のＳ３００の動作は、無線移動端末７００の任意のボタンや画面に設けられたアイコンを押下することを契機に実施するようにしてもよい。本実施の形態のユーザは、無線移動端末７００を操作することで、無線移動端末７００が保持する端末用制御情報群を最新の端末用制御情報群に更新することが可能となる。
【０１３０】
［効果の説明］
無線移動端末は、移動通信システムの無線回線を使用することなく、保持する制御情報をサーバが保持する最新の制御情報に更新することができる。
【０１３１】
無線移動端末が保持する制御情報に対応する識別番号を通知し、サーバが識別番号から無線移動端末が保持する制御情報を認識し、最新の制御情報でない場合には、最新の制御情報を移動通信システムの無線回線を使用せずに無線移動端末へ通知する為である。
【０１３２】
［第５の実施の形態］
次に、本発明の第５の実施の形態について説明する。
【０１３３】
［構成の説明］
図１０は、本発明の第５の実施の形態における移動通信システムの構成例を示すブロック図である。第５の実施の形態における移動通信システムは、少なくとも無線基地局装置１０００と無線移動端末１１００を備え、無線回線を介して通信を行う。
【０１３４】
無線基地局装置１０００は、無線移動端末１１００へ呼制御の為の制御情報を通知する代わりに制御情報に対応するインデックスを通知する無線基地局装置である。
【０１３５】
また、無線基地局装置１０００は、制御情報に対応するインデックスを通知するに先立って、予め少なくとも１つの制御情報と制御情報に対応するインデックスとを含む制御情報群を無線移動端末に通知する無線基地局装置である。
【０１３６】
無線基地局装置１０００は、制御情報群を無線移動端末１１００に対して、直接通知する。
【０１３７】
また、無線移動端末１１００は、無線基地局装置１０００から制御情報群を直接受信し、記憶媒体に記憶する。
【０１３８】
［動作の説明］
無線基地局装置１０００は、制御情報群を無線移動端末１１００に対して、直接通知する。
【０１３９】
無線移動端末１１００は、無線基地局装置１０００から制御情報群を直接受信し、記憶媒体に記憶する。
【０１４０】
［効果の説明］
本実施の形態の移動通信システムは、事前設定技術採用時、セルが切り替わる毎に無線移動端末において実施される、制御情報とインデックスの取得を不要にすることができる。
【０１４１】
本実施の形態の移動通信システムは、制御情報とインデックスを、セル単位に報知して無線移動端末に通知するのではなく、無線移動端末毎に直接通知するからである。
【０１４２】
なお、上述した実施の形態は、その形態に限定されるものではなく、実施段階ではその要旨を逸脱しない範囲で種々変更可能である。
【０１４３】
上記の実施形態の一部又は全部は、以下の付記のようにも記載されうるが、以下には限られない。
（付記１）
無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を無線移動端末に通知する移動通信システムの無線基地局装置において、
前記制御情報群を前記無線移動端末に対して、直接通知する通知手段を備えることを特徴とする無線基地局装置。
（付記２）
前記通知手段は、前記制御情報群を通知、若しくは更新する必要があると判断した場合に、前記制御情報群を前記無線移動端末に対して、直接通知することを特徴とする付記１に記載の無線基地局装置。
（付記３）
前記無線移動端末が位置登録実施済みでないことを認識した場合に、前記制御情報群を通知する必要があると判断する、
ことを特徴とする付記１乃至２のいずれかに記載の無線基地局装置。
（付記４）
前記無線移動端末より、前記無線移動端末が保持する前記制御情報群の更新履歴であるタイムスタンプ情報を受信すると、前記タイムスタンプ情報から前記無線移動端末が現在、保持する制御情報群を認識し、自身が保持する最新の前記制御情報群と異なっていれば、前記制御情報群を更新する必要があると判断し、少なくとも異なる前記制御情報、異なる前記制御情報に対応する前記インデックス及び、最新の前記制御情報群に対応する前記インデックスを前記無線移動端末に直接通知する手段と、
を備えることを特徴とする付記１乃至３のいずれかに記載の無線基地局装置。
（付記５）
呼処理を行う為の少なくとも１つの制御情報と前記制御情報に対応するインデックスとを含む制御情報群を前記無線基地局装置から受信する移動通信システムの無線移動端末において、
前記無線基地局装置から前記制御情報群を直接受信し、記憶媒体に記憶する手段と、を備えることを特徴とする無線移動端末。
（付記６）
保持する前記制御情報群の更新履歴であるタイムスタンプ情報を無線基地局装置に通知する手段と、
前記無線基地局装置から、少なくとも１つの前記制御情報、前記制御情報に対応する前記インデックス及び、前記制御情報群に対応する前記インデックスを直接受信し、前記記憶媒体に記憶する手段と、
を備えることを特徴とする付記５に記載の無線移動端末。
（付記７）
無線移動端末と無線基地局装置が無線回線で接続された移動通信システムであって、前記無線基地局装置は、付記１乃至４のいずれかに記載の無線基地局装置であり、前記無線移動端末は、付記５乃至６のいずれかに記載の無線移動端末である、
ことを特徴とする移動通信システム。
（付記８）
前記移動通信システムは、前記無線移動端末が前記制御情報群を保持するサーバに接続される移動通信システムであって、
前記無線移動端末は、保持した前記制御情報群の更新履歴であるタイムスタンプ情報を前記サーバに通知する手段と、
前記サーバから、少なくとも１つの前記制御情報、前記制御情報に対応する前記インデックス及び、前記制御情報群に対応する前記インデックスを受信し、記憶媒体に記憶する手段と、
を備え、
前記サーバは、前記無線移動端末より、前記タイムスタンプ情報を受信すると、前記タイムスタンプ情報から前記無線移動端末が現在、保持する前記制御情報群を認識し、自身が保持する最新の前記制御情報群と異なっていれば、少なくとも異なる前記制御情報、異なる前記制御情報に対応する前記インデックス及び、最新の前記制御情報群に対応する前記インデックスを前記無線移動端末に通知する手段と、
を備えることを特徴とする付記７に記載の移動通信システム。
（付記９）
無線移動端末へ呼制御の為の制御情報を通知する代わりに前記制御情報に対応するインデックスを通知するに先立って、予め少なくとも１つの前記制御情報と前記制御情報に対応する前記インデックスとを含む制御情報群を前記無線移動端末に通知する方法であって、
前記無線移動端末が位置登録実施済みでないことを認識した場合に、前記制御情報群を前記無線移動端末に対して、直接通知する、
制御情報通知方法。
（付記１０）
呼制御を行う為の少なくとも１つの制御情報と前記制御情報に対応するインデックスとを含む制御情報群を前記無線基地局装置から受信する方法であって、
前記無線基地局装置から前記制御情報群を直接受信し、記憶媒体に記憶する、
制御情報受信方法。
（付記１１）
前記無線基地局装置が、前記無線移動端末より、前記制御情報を保持していないことを示す不保持メッセージを受信すると、前記不保持メッセージに含まれる前記インデックスに対応する前記制御情報を前記制御情報群より取得し、前記制御情報と前記インデックスをメッセージにて前記無線移動端末に通知する手段と、
を備えることを特徴とする付記７に記載の移動通信システム。
（付記１２）
前記無線移動端末が、前記インデックスに対応する前記制御情報を前記制御情報群から取得できなかった場合、前記制御情報を保持していないことを示す不保持メッセージを、前記インデックスを含めて、前記無線基地局装置に通知する手段と、
前記無線基地局装置から前記不保持メッセージに対する応答メッセージを受信すると、前記応答メッセージに含まれる前記制御情報と前記インデックスを記憶媒体に記憶する手段と、
を備えることを特徴とする付記７に記載の移動通信システム。
（付記１３）
前記記憶媒体は、前記無線移動端末から着脱可能な記憶媒体であることを特徴とする付記５乃至６のいずれかに記載の無線移動端末。
【０１４４】
この出願は、２０１２年３月２８日に出願された日本出願特願２０１２−０７３６７６を基礎とする優先権を主張し、その開示の全てをここに取り込む。
【符号の説明】
【０１４５】
１００    無線基地局装置
２００    ＭＭＥ（コアネットワーク装置）
３００    無線移動端末
４００    サーバ
７００    無線移動端末
８００    サーバ
１０００    無線基地局装置
１１００    無線移動端末
【図１】
0005999175.tif 000002
【図２】
0005999175.tif 000003
【図３】
0005999175.tif 000004
【図４】
0005999175.tif 000005
【図５】
0005999175.tif 000006
【図６】
0005999175.tif 000007
【図７】
0005999175.tif 000008
【図８】
0005999175.tif 000009
【図９】
0005999175.tif 000010
【図１０】
0005999175.tif 000011
【図１１】
0005999175.tif 000012